(57)【要約】【課題】高いインフラ性の道路情報表示システムを提供する。  【解決手段】道路情報表示システム１は、道路情報表示のための外部情報を通信ネットワークＮから取得する情報取得部２２、外部情報に基づいて表示制御指令を生成する指令生成部２３及び表示制御指令を通信ネットワークＮに送信するサーバ通信部２１を含むクラウドサーバ２と、道路情報を発光表示可能な発光表示部３５、表示制御指令を通信ネットワークＮから受信する表示板通信部３１及び表示制御指令に基づいて発光表示部３５を点灯制御する点灯制御部３２を含む道路情報表示板３とを備える。【選択図】  図２
2019144980.tif 000002
【特許請求の範囲】
【請求項１】
道路情報表示システムであって、
道路情報表示のための外部情報を通信ネットワークから取得する情報取得部、前記外部情報に基づいて表示制御指令を生成する指令生成部、及び前記表示制御指令を前記通信ネットワークに送信するサーバ通信部を含むクラウドサーバと、
道路情報を発光表示可能な発光表示部、前記表示制御指令を前記通信ネットワークから受信する表示板通信部、及び前記表示制御指令に基づいて前記発光表示部を点灯制御する点灯制御部を含む道路情報表示板と
を備える道路情報表示システム。
【請求項２】
前記道路情報表示板が、加入者回線又は専用回線に対応する回線信号とＩＰデータとを相互に変換するＩＰ変換部をさらに備え、該ＩＰ変換部が、前記回線信号を送受信するように構成された前記表示板通信部と前記通信ネットワークとの間に接続された、請求項１に記載の道路情報表示システム。
【請求項３】
前記表示板通信部が、ＩＰデータを送受信可能に構成された、請求項１に記載の道路情報表示システム。
【請求項４】
前記情報取得部が、前記外部情報を前記通信ネットワークから収集するデータ収集部を含む、請求項１から３のいずれか一項に記載の道路情報表示システム。
【請求項５】
前記データ収集部が、所定地域の気象情報、所定地域の防災情報、所定地域の交通情報、所定位置に設置されたセンサの検知結果に基づくセンサ情報及び所定位置に設置されたカメラによる撮影画像に基づくカメラ情報のうちの少なくとも１つ以上を前記外部情報として収集するように構成された、請求項４に記載の道路情報表示システム。
【請求項６】
前記指令生成部が、前記道路情報表示板に送信した前記表示制御指令に関する情報を所定のクライアント端末に送信するように構成された、請求項１から５のいずれか一項に記載の道路情報表示システム。
【請求項７】
前記指令生成部が、前記表示制御指令を前記道路情報表示板に送信する前に、前記表示制御指令に関する情報を所定のクライアント端末に送信し、該クライアント端末からの許可応答に応じて前記表示制御指令を前記道路情報表示板に送信するように構成された、請求項１から５のいずれか一項に記載の道路情報表示システム。
【請求項８】
前記情報取得部が、クライアント端末から前記通信ネットワークを介して受信されるユーザ指示を前記外部情報として受け付ける指令受付部をさらに含む、請求項１から７のいずれか一項に記載の道路情報表示システム。
【請求項９】
前記クラウドサーバが、前記道路情報表示板の動作状態の監視結果に基づいて保守情報通知を生成し、前記保守情報通知を前記通信ネットワークを介して所定のクライアント端末に送信するように構成された保守監視部をさらに備える、請求項１から８のいずれか一項に記載の道路情報表示システム。
【請求項１０】
前記道路情報表示板が、当該道路情報表示板の動作状態を判定する状態判定部をさらに備え、
前記保守監視部が監視信号を前記通信ネットワークを介して前記道路情報表示板に送信し、前記状態判定部が前記監視信号に応じて前記動作状態に基づく状態情報を生成し、該状態情報を前記通信ネットワークを介して前記クラウドサーバに送信し、前記保守監視部が前記状態情報に基づいて前記保守情報通知を生成するように構成された、請求項９に記載の道路情報表示システム。
【請求項１１】
前記道路情報表示板が、当該道路情報表示板の動作状態を判定する状態判定部をさらに備え、
前記状態判定部が所定のタイミングで前記動作状態に基づく状態情報を生成し、該状態情報を前記通信ネットワークを介して前記クラウドサーバに送信し、前記保守監視部が前記状態情報に基づいて前記保守情報通知を生成するように構成された、請求項９に記載の道路情報表示システム。
【請求項１２】
前記クラウドサーバが、クライアント端末からのユーザ指示に応じて、適用される前記外部情報の設定、前記外部情報に対応する前記表示制御指令の内容の設定、又は前記道路情報表示板の送信先の設定を変更する設定変更部をさらに備える、請求項１から１１のいずれか一項に記載の道路情報表示システム。
【請求項１３】
道路情報を発光表示可能な発光表示部、表示制御指令を通信ネットワークから受信する表示板通信部及び前記表示制御指令に基づいて前記発光表示部を点灯制御する点灯制御部を含む道路情報表示板を制御するクラウドサーバであって、
道路情報表示のための外部情報を前記通信ネットワークから取得する情報取得部と、
前記外部情報に基づいて前記表示制御指令を生成する指令生成部と、
前記表示制御指令を前記通信ネットワークに送信するサーバ通信部と
を備えたクラウドサーバ。
【請求項１４】
前記情報取得部が、前記外部情報を前記通信ネットワークから収集するデータ収集部を含む、請求項１３に記載の道路情報表示システム。
【請求項１５】
前記情報取得部が、所定地域の気象情報、所定地域の防災情報、所定地域の交通情報、所定位置に設置されたセンサの結果に基づくセンサ情報及び所定位置に設置されたカメラによる撮影画像に基づくカメラ情報のうちの少なくとも１つ以上を前記外部情報として収集するデータ収集部を含む、請求項１４に記載のクラウドサーバ。
【請求項１６】
前記指令生成部が、前記道路情報表示板に送信した前記表示制御指令に関する情報を所定のクライアント端末に送信するように構成された、請求項１３から１５のいずれか一項に記載のクラウドサーバ。
【請求項１７】
前記指令生成部が、前記表示制御指令を前記道路情報表示板に送信する前に、前記表示制御指令に関する情報を所定のクライアント端末に送信し、該クライアント端末からの許可応答に応じて前記表示制御指令を前記道路情報表示板に送信するように構成された、請求項１３から１５のいずれか一項に記載のクラウドサーバ。
【請求項１８】
前記情報取得部が、クライアント端末から前記通信ネットワークを介して受信されるユーザ指示を前記外部情報として受け付ける指令受付部をさらに含む、請求項１３から１７のいずれか一項に記載のクラウドサーバ。
【請求項１９】
前記道路情報表示板の動作状態の監視結果に基づいて保守情報通知を生成し、前記保守情報通知を前記通信ネットワークを介して所定のクライアント端末に送信するように構成された保守監視部をさらに備えた請求項１３から１８のいずれか一項に記載のクラウドサーバ。
【請求項２０】
前記保守監視部が、監視信号を前記通信ネットワークを介して前記道路情報表示板に送信し、前記監視信号に対する前記道路情報表示板からの応答に基づいて前記保守情報通知を生成するように構成された、請求項１９に記載のクラウドサーバ。
【請求項２１】
前記保守監視部が、前記道路情報表示板から前記通信ネットワークを介して受信される状態情報に基づいて前記保守情報通知を生成するように構成された、請求項１９に記載のクラウドサーバ。
【請求項２２】
クライアント端末からのユーザ指示に応じて、適用される前記外部情報の設定、前記外部情報に対応する前記表示制御指令の内容の設定、又は前記道路情報表示板の送信先の設定を変更する設定変更部をさらに備える、請求項１３から２１のいずれか一項に記載のクラウドサーバ。
【発明の詳細な説明】
【技術分野】
【０００１】
本発明は、道路情報表示システム及びそれに用いるクラウドサーバに関する。
【背景技術】
【０００２】
特許文献１は、道路情報通信システムを開示する。この道路情報通信システムは、遠隔地に配置された情報表示板とＰＣとセンタサーバとを備える。センタサーバは、ＰＣによって所望の情報表示を指示するための接続要求が行われた場合、予め登録された情報表示板が接続されている通信ユニットの接続情報にて携帯電話網との接続を確立する。接続確立後、センタサーバは、ＴＣＰソケット通信によって携帯電話網及び通信ユニットを通じて所望の情報表示を指定する番号を情報表示板に送信することで情報表示板の表示制御を行う。
【先行技術文献】
【特許文献】
【０００３】
【特許文献１】特開２００６−２８５９４８号公報
【発明の概要】
【発明が解決しようとする課題】
【０００４】
しかし、上記構成によると、センタサーバと情報表示板とが携帯電話網、通信ユニットなどで接続されているため、システム全体として構成が複雑となる。そのため、システムの導入が容易でなく、すなわちインフラ性が低いという問題があった。また、センタサーバに接続されたクライアント端末から手動入力される指示に基づいて表示制御が行われるため、多様な表示を自動又は半自動的な態様で適時に行うことができないという問題もあった。
【０００５】
そこで、本発明は、高いインフラ性の道路情報表示システム及びそれに用いられるクラウドサーバを提供することを課題とする。また、本発明は、多様な表示を適時に実行可能な道路情報表示システム及びそれに用いられるクラウドサーバを提供することを課題とする。
【課題を解決するための手段】
【０００６】
本発明の道路情報表示システムは、道路情報表示のための外部情報を通信ネットワークから取得する情報取得部、外部情報に基づいて表示制御指令を生成する指令生成部及び表示制御指令を通信ネットワークに送信するサーバ通信部を含むクラウドサーバと、道路情報を発光表示可能な発光表示部、表示制御指令を通信ネットワークから受信する表示板通信部及び表示制御指令に基づいて発光表示部を点灯制御する点灯制御部を含む道路情報表示板とを備える。
【０００７】
上記構成によると、クラウドサーバ及び道路情報表示板が通信ネットワークを介して接続されるため、高いインフラ性の道路情報表示システムが実現される。
【０００８】
一実施形態では、道路情報表示板が、加入者回線又は専用回線に対応する回線信号とＩＰデータとを相互に変換するＩＰ変換部をさらに備え、ＩＰ変換部が、回線信号を送受信するように構成された表示板通信部と通信ネットワークとの間に接続される。このように、ＩＰ変換部が、表示板通信部と通信ネットワークとの間に接続されるので、加入者回線又は専用回線用の信号に対応して設置された既存の道路情報表示板に変更を加えることなく、クラウドサーバの適用が可能となる。したがって、既設の道路情報表示板を用いる場合の道路情報表示システムの導入容易性が高まる。
【０００９】
一変形例では、表示板通信部は、ＩＰデータを送受信可能に構成される。これにより、新規な道路情報表示板とともに道路情報表示システムを導入する場合に、ＩＰ化された簡素な通信構成が実現される。したがって、新規の道路情報表示板を用いる場合の道路情報表示システムの導入容易性が高まる。
【００１０】
また、情報取得部は、外部情報を通信ネットワークから収集するデータ収集部を含む。このように、データ収集部によって外部情報が通信ネットワークから収集され、その収集された外部情報に基づいて表示制御指令が生成されるので、多様な表示を自動的な態様で適時に実行可能な道路情報表示システムが実現される。
【００１１】
ここで、データ収集部は、所定地域の気象情報、所定地域の防災情報、所定地域の交通情報、所定位置に設置されたセンサの検知結果に基づくセンサ情報及び所定位置に設置されたカメラによる撮影画像に基づくカメラ情報のうちの少なくとも１つ以上を外部情報として収集するように構成されることが好ましい。これにより、多様かつ的確な道路情報表示が可能となる。
【００１２】
また、指令生成部は、道路情報表示板に送信した表示制御指令に関する情報を所定のクライアント端末に送信するように構成されることが好ましい。これにより、クライアントユーザにおいて、道路情報表示板の表示状況が明確となり、道路情報表示板の管理性が高まる。
【００１３】
また、指令生成部が、表示制御指令を道路情報表示板に送信する前に、表示制御指令に関する情報を所定のクライアント端末に送信し、クライアント端末からの許可応答に応じて表示制御指令を道路情報表示板に送信するように構成されることが好ましい。このように、収集データに対して表示制御指令を半自動的な態様で決定することにより、的確な表示制御が確実に実行される。
【００１４】
さらに、情報取得部は、クライアント端末から通信ネットワークを介して受信されるユーザ指示を外部情報として受け付ける指令受付部を含むことが好ましい。これにより、クライアントユーザからのユーザ指示による道路情報表示も可能となり、柔軟な道路情報表示が可能となる。
【００１５】
また、クラウドサーバは、道路情報表示板の動作状態の監視結果に基づいて保守情報通知を生成し、保守情報通知を通信ネットワークを介して所定のクライアント端末に送信するように構成された保守監視部をさらに備えることが好ましい。このように、ユーザではなくクラウドサーバが道路情報表示板の監視及びそれに関する通知を行うので、道路情報表示板の容易な保守が可能となる。
【００１６】
ここで、道路情報表示板が、道路情報表示板の動作状態を判定する状態判定部をさらに備え、保守監視部が監視信号を通信ネットワークを介して道路情報表示板に送信し、状態判定部が監視信号に応じて動作状態に基づく状態情報を生成し、状態情報を通信ネットワークを介してクラウドサーバに送信し、保守監視部が状態情報に基づいて保守情報通知を生成するように構成されることが好ましい。これにより、道路情報表示板の確実な保守が可能となる。
【００１７】
あるいは、道路情報表示板が、道路情報表示板の動作状態を判定する状態判定部をさらに備え、状態判定部が所定のタイミングで動作状態に基づく状態情報を生成し、状態情報を通信ネットワークを介してクラウドサーバに送信し、保守監視部が状態情報に基づいて保守情報通知を生成するように構成されてもよい。これにより、道路情報表示板の確実な保守が可能となる。
【００１８】
また、クラウドサーバが、クライアント端末からのユーザ指示に応じて、適用される外部情報の設定、外部情報に対応する表示制御指令の内容の設定、又は道路情報表示板の送信先の設定を変更する設定変更部をさらに備えていてもよい。これにより、ユーザが各種設定を適宜変更することができるので、道路情報表示システムの柔軟な態様での使用が可能となる。
【００１９】
また、本発明は、上記いずれかの道路情報表示システムを構成するクラウドサーバも含む。上述した各効果によって、インフラ性が高く、多様な表示を適時に実行可能な道路情報表示システムを実現するクラウドサーバが提供される。
【図面の簡単な説明】
【００２０】
【図１】本発明の実施形態による道路情報表示システムの概略ブロック図である。
【図２】本発明の実施形態による道路情報表示システムの各部ブロック図である。
【図３Ａ】本発明の実施形態におけるＩＰ変換部のブロック図である。
【図３Ｂ】本発明の実施形態におけるＩＰ変換部のブロック図である。
【図３Ｃ】本発明の実施形態におけるＩＰ変換部のブロック図である。
【図３Ｄ】本発明の実施形態におけるＩＰ変換部のブロック図である。
【図４】本発明の代替例における道路情報表示システムのブロック図である。
【図５】本発明の変形例における道路情報表示板のブロック図である。
【発明を実施するための形態】
【００２１】
＜実施形態＞
図１に、本発明の実施形態による道路情報表示システム１の概略ブロック図を示す。道路情報表示システム１は、クラウドサーバ２及び道路情報表示板３−１〜３−ｍを含む。クラウドサーバ２及び道路情報表示板３−１〜３−ｍは、インターネット、ＶＰＮなどの通信ネットワークＮ（以下、「ネットワークＮ」という）に接続される。また、クラウドサーバ２は、ネットワークＮを介して、ユーザ施設Ｕ１〜Ｕｎ、メーカ施設Ｍ及び情報源Ｓ１〜Ｓ５と通信可能である。なお、以降の説明において、道路情報表示板３−１〜３−ｍを総称して又はいずれか１つを代表して道路情報表示板３というものとする。ユーザ施設Ｕ１〜Ｕｎを総称して又はいずれか１つを代表してユーザ施設Ｕというものとする。また、情報源Ｓ１〜Ｓ５を総称して又はいずれか１つを代表して情報源Ｓというものとする。なお、２以上のメーカ施設ＭがネットワークＮに接続されてもよい。本開示では、説明の便宜上、クラウドサーバ２がネットワークＮの外部にあるものとして説明を行うが、クラウドサーバ２はネットワークＮ上にあるともいえる。また、各図において、各ユーザ施設ＵとネットワークＮの間、メーカ施設ＭとネットワークＮの間、各情報源ＳとネットワークＮの間が無線接続される構成を示すが、これらの接続の一部又は全部がＬＡＮなどによって有線接続されてもよい。
【００２２】
図２に、図１の道路情報表示システム１の各部ブロック図を示す。図１と同様の構成には同様の符号を付し、重複する説明を省略する。図２においては、１つのユーザ施設Ｕ及び１つの道路情報表示板３を代表して示すが、他のユーザ施設Ｕ及び他の道路情報表示板３も実質的に同様の構成を有する（ただし、道路情報表示板３の表示内容はそれぞれ異なり得る）。
【００２３】
ユーザ施設Ｕは、例えば、地方公共団体の土木事務所、道路管理センタなどであり、ネットワークＮに接続可能なユーザ端末４（クライアント端末）を含む。ユーザ端末４は、通信部４１、ＣＰＵ４２、メモリ４３及び入出力インターフェース（ＩＦ）４４を備える一般的なパソコンなどである。ただし、ユーザ端末４は、タブレット、スマートフォン、専用機器など、他の種類の端末であってもよい。通信部４１は、３Ｇ、ＬＴＥなどの無線接続又はＬＡＮなどの有線接続を介してネットワークＮに接続し、ネットワークＮを介してクラウドサーバ２と通信するための通信デバイスである。ＣＰＵ４２は、一般的なＣＰＵとしての機能を実行するプロセッサである。メモリ４３は、プログラム及びデータを記憶するＲＯＭ及びＲＡＭなどのメモリを含む。入出力ＩＦ４４は、ディスプレイ、マウス、キーボード、スピーカ、マイクロフォンなどである。ユーザは、入出力ＩＦ４４を介して、後述の各種ユーザ指示を入力することができる。すなわち、ユーザ端末４は、ユーザによって入力されるユーザ指示を生成してそれをネットワークＮ経由でクラウドサーバ２に送信するとともに、クラウドサーバ２からの各種通知をネットワークＮ経由で受信してそれをユーザに表示出力することができる。
【００２４】
メーカ施設Ｍは、例えば、道路情報表示システム１の提供者又は道路情報表示板３の製造者の工場などであり、ネットワークＮに接続可能なパソコンなどのメーカ端末５（クライアント端末）を含む。メーカ端末５は、通信部５１、ＣＰＵ５２、メモリ５３及び入出力ＩＦ５４を備える一般的なパソコンなどである。ただし、メーカ端末５は、タブレット、スマートフォン、専用機器など、他の種類の端末であってもよい。通信部５１は、３Ｇ、ＬＴＥなどの無線接続又はＬＡＮなどの有線接続を介してネットワークＮに接続し、ネットワークＮを介してクラウドサーバ２と通信するための通信デバイスである。ＣＰＵ５２は、一般的なＣＰＵとしての機能を実行するプロセッサである。メモリ５３は、プログラム及びデータを記憶するＲＯＭ及びＲＡＭなどのメモリを含む。入出力ＩＦ５４は、ディスプレイ、マウス、キーボード、スピーカ、マイクロフォンなどである。ユーザは、入出力ＩＦ５４を介して、後述の各種ユーザ指示を入力することができる。すなわち、メーカ端末５は、ユーザによって入力されるユーザ指示を生成してそれをネットワークＮ経由でクラウドサーバ２に送信するとともに、クラウドサーバ２からの各種通知をネットワークＮ経由で受信してそれをユーザに表示出力することができる。
【００２５】
情報源Ｓ１は、所定地域の気象条件に関する気象情報をネットワークＮに提供する気象情報サイト（気象庁、気象業務支援センタなど）である。情報源Ｓ２は、所定地域で発生した、又は発生し得る災害に関する防災情報をネットワークＮに提供する防災情報サイトである。情報源Ｓ３は、所定地域の交通情報をネットワークＮに提供する交通情報サイトである。情報源Ｓ４は、所定位置に設置されたセンサであり、その検知結果に基づくセンサ情報をネットワークＮに送信する。ここで、センサは、例えば、路面状況（凍結、冠水など）を検知するための気象センサなどである。情報源Ｓ５は、所定位置に設置されたカメラ（定点カメラなど）であり、カメラによる撮影画像に対する画像処理によって取得されるカメラ情報をネットワークＮに提供する。なお、情報源Ｓ１〜Ｓ５は例示であり、他の情報を提供する情報源が適用されてもよい。また、所定地域とは、各ユーザ施設Ｕの管轄区域、道路情報表示板３−１〜３−ｍの一部又は全部を含む地域などのことであり、所定位置とは、道路情報表示板３−１〜３−ｍのいずれかの付近の地点などのことである。各情報源Ｓは、不図示の通信部を備え、３Ｇ、ＬＴＥなどの無線接続又はＬＡＮなどの有線接続を介してネットワークＮに上述の各情報をアップロードすることができる。
【００２６】
クラウドサーバ２は、通信部２１（サーバ通信部）、情報取得部２２、指令生成部２３、保守監視部２４、設定変更部２５、履歴保存部２６及び記憶部２７を備える。これらの各部は、システムバスを介して相互に信号又はデータのやり取りが可能な態様で接続されている。通信部２１は、３Ｇ、ＬＴＥなどの無線接続又はＬＡＮなどの有線接続を介してネットワークＮに接続し、ネットワークＮを介して道路情報表示板３、ユーザ端末４及びメーカ端末５と通信するための通信デバイスである。なお、採用され得る通信規格は上記に限られない。情報取得部２２、指令生成部２３、保守監視部２４、設定変更部２５及び履歴保存部２６は、ＣＰＵの一部であってもよいし、複数のＣＰＵで構成されていてもよい。記憶部２７は、プログラム及びデータを記憶するＲＯＭ及びＲＡＭなどのメモリを含む記憶装置である。
【００２７】
情報取得部２２は、道路情報表示板３における道路情報表示に反映されるべき外部情報をネットワークＮから取得する。情報取得部２２は、データ収集部２２１及び指示受付部２２２を含む。
【００２８】
データ収集部２２１は、情報源Ｓからの外部情報をネットワークＮから収集するように構成される。すなわち、データ収集部２２１は、情報源Ｓ１（気象情報サイト）からの気象情報、情報源Ｓ２（防災情報サイト）からの防災情報、情報源Ｓ３（交通情報サイト）からの交通情報、情報源Ｓ４（センサ）からのセンサ情報及び情報源Ｓ５（定点カメラ）からのカメラ情報のうちの少なくとも１つ以上を外部情報として収集する。気象情報は、例えば、雨量、気温などに関する情報である。防災情報は、緊急地震速報、Ｊアラート、自治体発信による情報などである。交通情報は、例えば、通行止、事故などによる車線規制、渋滞、駐車場などに関する情報である。センサ情報は、凍結、冠水などの路面状況に関する情報である。カメラ情報は、路面状況、交通情報などに関する情報である。なお、気象情報、防災情報、交通情報、センサ情報及びカメラ情報を総称して収集データというものとする。収集データは、プル型の態様としてデータ収集部２２１からの要求に応じて各情報源Ｓからクラウドサーバ２に送信されるようにしてもよいし、プッシュ型の態様として各情報源Ｓからクラウドサーバに逐次送信されるようにしてもよい。
【００２９】
指示受付部２２２は、ユーザ端末４又はメーカ端末５からネットワークＮを介して受信されるユーザ指示を外部情報として受け付ける。このユーザ指示は、ユーザ施設Ｕのユーザ又はメーカ施設Ｍのユーザが手動的に道路情報表示を操作する場合に使用され得る。また、ユーザ指示は、ユーザ施設Ｕのユーザ又はメーカ施設Ｍのユーザが能動的に道路情報表示システム１の保守作業を行う場合に使用され得る。また、ユーザ指示は、ユーザ施設Ｕのユーザ又はメーカ施設Ｍのユーザがクラウドサーバ２における各種設定を変更する場合にも使用され得る。
【００３０】
指令生成部２３は、データ収集部２２１によって収集された収集データ又は指示受付部２２２によって受け付けられたユーザ指示に基づいて表示制御指令を生成する。この表示制御指令は、少なくとも道路情報表示における表示内容及びその道路情報表示を行う道路情報表示板３の送信先（アドレス）を指定するものである。これにより、ユーザ指示による道路情報表示も可能となり、柔軟な道路情報表示が可能となる。
【００３１】
例えば、データ収集部２２１が情報源Ｓ１から所定量以上の降雨及び気温低下を示す気象情報を取得した場合には、指令生成部２３は「気温低下  スリップ注意」などの表示を行うための表示制御指令を生成する。このような気象情報に基づく表示制御指令は、その気象情報が示す地域（例えば、都道府県単位、市町村などの自治体単位）に含まれる道路情報表示板３を送信先として指定することが好ましい。
【００３２】
例えば、データ収集部２２１が情報源Ｓ２から緊急地震速報を取得した場合には、指令生成部２３は「緊急地震速報発令」の表示を行うための表示制御指令を生成する。このような防災情報に基づく表示制御指令は、その緊急性及び広域性を考慮して、全ての道路情報表示板３を送信先として指定することが好ましい。
【００３３】
例えば、データ収集部２２１が情報源Ｓ３から所定道路の渋滞を示す交通情報を取得した場合には、指令生成部２３は「〇〇道  △△〜××間  ４ｋｍ渋滞」などの表示を行うための表示制御指令を生成する。このような特定地域の交通情報に基づく表示制御指令は、その交通情報に関与する地域の道路情報表示板３を送信先として指定することが好ましい。
【００３４】
例えば、データ収集部２２１が情報源Ｓ４から所定道路の冠水を示すセンサ情報を取得した場合又は情報源Ｓ５から冠水を示すカメラ情報を取得した場合には、指令生成部２３は「〇〇道  冠水のため通行禁止」などの表示を行うための表示制御指令を生成する。このような特定地域のセンサ情報に基づく表示制御指令は、その地点に向かう道路上の道路情報表示板３を送信先として指定することが好ましい。
【００３５】
ここで、指令生成部２３は、情報源Ｓ１〜Ｓ５に基づく優先順位を各表示制御指令に与えてもよい。例えば、指令生成部２３は、情報源Ｓ２からの防災情報に基づく表示制御指令の生成を、他のいずれの収集データに基づく表示制御指令の生成に優先してもよい。また、同じ情報源Ｓからの収集データに基づく表示制御指令についても、内容の緊急性に応じて優先順位が与えられてもよい。例えば、指令生成部２３は、情報源Ｓ４からのセンサ情報について、冠水を示す表示制御指令の生成を、路面凍結を示す表示制御指令の生成に優先してもよい。また、指示受付部２２２によって受け付けられたユーザ指示に基づく表示制御指令に対して、上記の優先順位付けにおけるいずれかの優先順位が与えられてもよい。あるいは、ユーザが、ユーザ端末４又はメーカ端末５を用いて各表示制御指令の優先度を決定できるようにしてもよい。ただし、いずれの場合であっても、上記の防災情報（緊急地震速報、Ｊアラートなど）に基づく表示制御指令が優先されることが好ましい。
【００３６】
また、指令生成部２３は、道路情報表示板３に送信した表示制御指令に関する情報を通信部２１からユーザ端末４、メーカ端末５、関連するユーザの携帯情報端末（スマートフォン、タブレットなど）などのクライアント端末に送信するように構成されてもよい。これにより、各道路情報表示板３における表示の状況がユーザにおいて明確となり、道路情報表示板３の管理性が高まる。道路情報表示板３に送信した表示制御指令に関する情報は、表示制御指令の内容及び送信先（道路情報表示板３のアドレス）であってもよいし、これと併せて当該表示制御指令の根拠となった外部情報（収集データ）の内容、表示制御指令の生成又は送信時刻などを含んでいてもよい。
【００３７】
また、指令生成部２３は、生成した表示制御指令を道路情報表示板３に送信する前に、その表示制御指令を所定のユーザ端末（例えば、ユーザ端末４）に送信し、その表示制御指令の適否をユーザに確認させるように構成されてもよい。この場合、指令生成部２３は、当該ユーザ端末からの許可応答に応じて、表示制御指令を道路情報表示板３に送信する。このように、収集データに対して表示制御指令を半自動的な態様で決定することにより、的確な表示制御が確実に実行される。ただし、防災情報に対する表示制御指令のように緊急を要するものについては、このようなユーザ確認処理は省略可能である。
【００３８】
保守監視部２４は、道路情報表示板３の動作状態の監視結果に基づいて保守情報通知を生成し、その保守情報通知を通信部２１からネットワークＮを介してクライアント端末（ユーザ端末４、メーカ端末５、関連するユーザの携帯情報端末など）に送信するように構成される。あるいは、保守監視部２４が保守情報通知をネットワークＮ上の所定のサイトにアップロードし、一般ユーザが保守情報通知を閲覧できるようにしてもよい。例えば、保守監視部２４は、通信部２１を介して監視信号をネットワークＮに送信する。この監視信号に対する応答信号として状態情報が道路情報表示板３からネットワークＮを介して受信されると、保守監視部２４は、状態情報に基づいて保守情報通知を生成する。例えば、状態情報によって、対応の道路情報表示板３の電源異常などが特定され得る。また、監視信号に対して応答（ＡＣＫ、状態情報などの応答）がない場合には、対応の道路情報表示板３が故障しているか、通信障害が発生していることが特定される。そして、保守監視部２４は、この保守情報通知をクライアント端末に送信し、又は所定サイトにアップロードする。このように、ユーザではなくクラウドサーバ２が道路情報表示板３の監視及びそれに関する通知を行うので、容易な保守が可能となる。
【００３９】
上記監視信号は、周期的に（例えば、２４時間毎に）送信されてもよいし、クライアント端末からのユーザ指示に応じて送信されるようにしてもよい。あるいは、監視信号は、データ収集部２２１によって収集される収集データのうちの所定のデータをトリガとして送信されるものであってもよい。例えば、道路情報表示板３が厳しい環境に曝された場合に、それをトリガとして監視信号が送信されるようにしてもよい。例えば、情報源Ｓ１からの気象情報が地震（例えば、震度４以上）、落雷、高温（例えば、気温３５℃以上）、低温（例えば、−１０℃以下）、強風（例えば、風速３０ｍ以上）、降雪（例えば、積雪１０ｃｍ以上）などを示す場合が想定される。そして、監視信号が周期的に送信される場合の保守情報通知は、道路情報表示板３の動作に異常がある場合にのみクライアント端末に送信（又は所定サイトにアップロード）されてもよいし、異常の有無にかかわらずクライアント端末に送信（又は所定サイトにアップロード）されてもよい。
【００４０】
設定変更部２５は、ユーザ端末４又はメーカ端末５からのユーザ指示に応じて、適用される収集データの設定である収集データ設定、外部情報に対応する表示制御指令の内容の設定である表示内容設定、又は道路情報表示板３の送信先の設定である送信先設定を変更する。例えば、収集データ設定の変更は、情報源Ｓの追加、削除又は変更を含む。また、収集データ設定の変更は、上述した情報源Ｓ間での優先順位付けの変更、表示制御指令間の優先順位付けの変更なども含み得る。表示内容設定の変更は、文言などのテキストの変更だけでなく、表示色などの表示態様の変更も含み得る。送信先設定の変更は、道路情報表示板３の付加又は削除に対応する変更（送信先アドレスの変更）などを含み得る。
【００４１】
履歴保存部２６は、指令生成部２３によって生成された表示制御指令に関する情報又は道路情報表示板３に送信された表示制御指令に関する情報の履歴データを記憶部２２に記憶させる。記憶部２２に記憶された履歴データは、クライアント端末（ユーザ端末４、メーカ端末５、関連するユーザの携帯情報端末）の携帯情報端末などから閲覧可能であることが好ましい。このような履歴データの解析又は統計処理は、各道路情報表示板３付近の道路整備状況、交通状況などの改善に有用なものとなり得る。
【００４２】
道路情報表示板３は、ＩＰ変換部３０、通信部３１（表示板通信部）、点灯制御部３２、状態判定部３３、記憶部３４及びＬＥＤ表示部３５（発光表示部）を備える。道路情報表示板３は、例えば、道路脇においてポールなどの上部に固定される。本実施形態では、通信部３１は、加入者回線又は専用回線との通信に対応した通信デバイスであるものとする。点灯制御部３２及び状態判定部３３は、ＣＰＵなどで構成される。記憶部３４は、プログラム及びデータを記憶するＲＯＭ及びＲＡＭなどのメモリを含む。
【００４３】
ＬＥＤ表示部３５は、点灯回路３５１及びＬＥＤモジュール３５２を備える。説明の便宜上、図２においては１組の点灯回路３５１及びＬＥＤモジュール３５２を代表して示すが、実際には、多数組の点灯回路３５１及びＬＥＤモジュール３５２が接続される。各ＬＥＤモジュール３５２は多数のＬＥＤ素子が配列されたＬＥＤアレイを含み、複数のＬＥＤモジュール３５２が１面の表示面を形成する。各点灯回路３５１は、ＬＥＤ用電源であり、商用電源などの入力電圧を、点灯制御部３２の制御の下で、直流電流（電流波形、電流値などが制御された電流）に変換し、その直流電流をＬＥＤモジュール３５２に供給する。例えば、点灯回路３５１は、入力電圧を全波整流する整流回路、及び整流回路の出力電圧から直流定電流を生成してそれをＬＥＤモジュール３５２に出力するＤＣ／ＤＣコンバータを備える。
【００４４】
ＩＰ変換部３０は、ネットワークＮから受信されるＩＰデータ（ＩＰパケット）を加入者回線信号又は専用回線信号（以下、「回線信号」という）に変換してその回線信号を通信部３１に出力する。また、ＩＰ変換部３０は、通信部３１からの回線信号をＩＰデータに変換してネットワークＮに出力する。ＩＰ変換部３０は、道路情報表示板３に内蔵されてもよいし、道路情報表示板３に外付けされてもよい。図３Ａ〜図３Ｄに、種々の構成に対応するＩＰ変換部３０のブロック図を示す。図３Ａ〜図３Ｄにおいて、ネットワークＮとＩＰ変換部３０の間は３Ｇ又はＬＴＥによって無線接続されるものとする。
【００４５】
図３Ａは、ＩＰ変換部３０の一例であるＩＰ変換部３０Ａを示す。ＩＰ変換部３０Ａは、通信部３１が公衆交換電話網（ＰＳＴＮ）の加入者回線に対応している場合に適用される。すなわち、通信部３１は、加入者回線Ｌｓに接続されているものとする。ＩＰ変換部３０Ａは、外付けされた３Ｇ・ＬＴＥゲートウェイ３００、並びにＩＰ変換器としてのＬＡＮ通信部３０１、通信変換部３０３、モデム部３０４及び疑似交換部３０５を備える。３Ｇ・ＬＴＥゲートウェイ３００は、ネットワークＮからのＩＰデータをイーサネット（登録商標）信号に変換してＬＡＮ通信部３０１に出力するとともに、ＬＡＮ通信部３０１からのイーサネット信号をＩＰデータに変換してネットワークＮに出力する。
【００４６】
ＬＡＮ通信部３０１は、イーサネット信号を送受信するＬＡＮ通信用のインターフェースとして機能する。通信変換部３０３は、ＬＡＮ通信部３０１側のイーサネット信号とモデム部３０４側のＨＤＬＣ（High-level Data Link Control）方式のシリアル通信信号又は非同期方式（ＡＳＹＮＣ）のシリアル通信信号とを相互に変換する。モデム部３０４は、通信変換部３０３から入力されるシリアル通信信号を変調（位相変調及び周波数変調）し、変調信号を疑似交換部３０５に出力する。また、モデム部３０４は、疑似交換部３０５から入力される回線信号を復調し、上記の形式のシリアル通信信号を通信変換部３０３に出力する。疑似交換部３０５は、加入者回線Ｌｓに接続され、疑似的にＰＳＴＮの交換回路として機能し、加入者回線Ｌｓを介して回線信号（変調信号）を通信部３１と送受信する。
【００４７】
図３Ｂは、ＩＰ変換部３０の一例であるＩＰ変換部３０Ｂを示す。ＩＰ変換部３０Ｂも、通信部３１がＰＳＴＮの加入者回線に対応している場合に適用される。本例では、ＩＰ変換部３０Ｂでは、外付けの３Ｇ・ＬＴＥゲートウェイは使用されず、対応の機能がＩＰ変換器に内蔵される。ＩＰ変換部３０Ｂ（ＩＰ変換器）は、３Ｇ・ＬＴＥ通信部３０２、通信変換部３０３、モデム部３０４及び疑似交換部３０５を備える。３Ｇ・ＬＴＥ通信部３０２は、ネットワークＮ側のＩＰデータと通信変換部３０３側のイーサネット信号とを相互に変換する。通信変換部３０３、モデム部３０４及び疑似交換部３０５の構成は、図３Ａに示したＩＰ変換部３０Ａものと同様である。
【００４８】
このように、ＩＰ変換部３０Ａ及び３０Ｂは、通信部３１がＰＳＴＮの加入者回線に対応している場合にネットワークＮ側のＩＰデータと通信部３１側の回線信号とを相互に変換することができる。
【００４９】
図３Ｃは、ＩＰ変換部３０の一例であるＩＰ変換部３０Ｃを示す。ＩＰ変換部３０Ｃは、通信部３１がＮＴＴ専用回線に対応している場合に適用される。すなわち、通信部３１は、専用回線Ｌｐに接続されているものとする。ＩＰ変換部３０Ｃは、外付けされた３Ｇ・ＬＴＥゲートウェイ３００、並びにＩＰ変換器としてのＬＡＮ通信部３０１、通信変換部３０３及びモデム部３０６を備える。
【００５０】
３Ｇ・ＬＴＥゲートウェイ３００、ＬＡＮ通信部３０１及び通信変換部３０３の構成は、図３Ａに示したものと同様である。モデム部３０６は、専用回線Ｌｐに接続され、回線信号を通信部３１と送受信するように構成される。通信部３１がアナログ通信部である場合、モデム部３０６は、通信変換部３０３から入力されるシリアル通信信号を所定の帯域品目（例えば、３．４ｋＨｚ）のアナログ信号に変換し、そのアナログ回線信号を通信部３１に出力する。また、モデム部３０６は、通信部３１から入力されるアナログ回線信号を上記シリアル通信信号に変換し、そのシリアル通信信号を通信変換部３０３に出力する。
【００５１】
一方、通信部３１がデジタル通信部である場合、モデム部３０６は、通信変換部３０３から入力されるシリアル通信信号を所定の符号品目（例えば、５０ｂｉｔ／ｓ）のデジタル信号に変換し、そのデジタル回線信号を通信部３１に出力する。また、モデム部３０６は、通信部３１から入力されるデジタル回線信号を上記シリアル通信信号に変換し、そのシリアル通信信号を通信変換部３０３に出力する。
【００５２】
図３Ｄは、ＩＰ変換部３０の一例であるＩＰ変換部３０Ｄを示す。ＩＰ変換部３０Ｄも、通信部３１がＮＴＴ専用回線に対応している場合に適用される。本例では、ＩＰ変換部３０Ｄでは、外付けの３Ｇ・ＬＴＥゲートウェイは使用されず、対応の機能がＩＰ変換器に内蔵される。ＩＰ変換部３０Ｄ（ＩＰ変換器）は、３Ｇ・ＬＴＥ通信部３０２、通信変換部３０３及びモデム部３０６を含む。３Ｇ・ＬＴＥ通信部３０２は、図３Ｂに示したＩＰ変換部３０Ｂのものと同様である。また、通信変換部３０３及びモデム部３０６の構成は、図３Ｃに示したＩＰ変換部３０Ｃのものと同様である。
【００５３】
このように、ＩＰ変換部３０Ｃ及び３０Ｄは、通信部３１が専用回線に対応している場合にネットワークＮ側のＩＰデータと通信部３１側の回線信号とを相互に変換することができる。
【００５４】
代替例として、図４に示すように、１つのＩＰ変換部３０Ｅが、複数の道路情報表示板３の通信部３１からの複数の通信配線Ｌ（加入者回線Ｌｓ又は専用回線Ｌｐ）にまとめて接続されてもよい。ＩＰ変換部３０Ｅは、ＩＰ変換部３０Ａ若しくは３０Ｂにおいて疑似交換部３０５の通信部３１側にルータが接続された構成に対応し、又はＩＰ変換部３０Ｃ若しくは３０Ｄのモデム部３０６の通信部３１側にルータが接続された構成に対応する。ルータの各ポートに、各通信配線Ｌが接続される。このように、比較的近距離に設置された複数の道路情報表示板３の通信配線Ｌが束ねられているような状況においては、既存の通信配線Ｌを最大限活用することも可能である。
【００５５】
このように、ＩＰ変換部３０（ＩＰ変換部３０Ａ、３０Ｂ、３０Ｃ、３０Ｄ又は３０Ｅ）が、通信部３１とネットワークＮとの間に接続される。これにより、加入者回線Ｌｓ又は専用回線Ｌｐに対応して設置された既存の道路情報表示板３（通信部３１）に変更を加えることなく、クラウドサーバ２の適用が可能となる。したがって、クラウドサーバ２及び道路情報表示システム１の導入容易性が高まる。
【００５６】
図２に戻り、点灯制御部３２は、通信部３１を介して受信された表示制御指令に基づいてＬＥＤ表示部３５を点灯制御する。ここで、表示制御指令は、予め定義された表示内容の識別子であってもよいし、表示内容に対応するＬＥＤモジュール３５２の各々の点灯状態を決定するドットデータであってもよい。表示制御指令が識別子である場合、点灯制御部３２は、記憶部３４に記憶されたテーブルを参照して識別子に対応するドットデータを取得する。表示内容が静止表示の場合には、ドットデータによって点灯回路３５１の各々の出力状態が決定される。表示内容が動画表示の場合には、ドットデータによって点灯回路３５１の各々の時系列の出力状態が決定される。これにより、点灯制御部３２は、ドットデータによって各点灯回路３５１の出力状態を制御する。
【００５７】
状態判定部３３は、道路情報表示板３の動作状態を検知又は判定する機能を有する。ここで動作状態とは、通信部３１による通信状態、点灯制御部３２の処理状態、各点灯回路３５１の駆動状態、各部の電源状態などを含む。状態判定部３３は、保守監視部２４からの監視信号に対する応答信号として、動作状態に基づく状態情報を生成する。あるいは、状態判定部３３は、所定のタイミングで動作状態に基づく状態情報を生成するように構成されてもよい。所定のタイミングは、周期的なタイミングであってもよいし、状態判定部３３が何らかの異常を検知又は判定したタイミングであってもよい。すなわち、クラウドサーバ２の保守監視部２４と道路情報表示板３の状態判定部３３との間においてプル型の保守が行われてもよいし、プッシュ型の保守が行われてもよいし、双方が併用されてもよい。
【００５８】
プル型の場合、保守監視部２４が、ネットワークＮを介して監視信号を道路情報表示板３に送信する。この監視信号に対する応答として、状態判定部３３が、動作状態に基づく状態情報を生成し、その状態情報をネットワークＮを介してクラウドサーバ２に送信する。保守監視部２４は、この状態情報に基づいて保守情報通知を生成し、この保守情報通知をネットワークＮを介して適宜のクライアント端末に送信する（又は所定サイトにアップロードする）。これにより、道路情報表示板３の確実な保守が可能となる。
【００５９】
プッシュ型の場合、状態判定部３３が、所定のタイミングで動作状態に基づく状態情報を生成し、その状態情報をネットワークＮを介してクラウドサーバ２に送信する。保守監視部２４は、この状態情報に基づいて保守情報通知を生成し、この保守情報通知をネットワークＮを介して適宜のクライアント端末に送信する（又は所定サイトにアップロードする）。これにより、道路情報表示板３の確実な保守が可能となる。
【００６０】
以上のように、本発明の道路情報表示システム１は、道路情報表示のための外部情報をネットワークＮから取得する情報取得部２２、外部情報に基づいて表示制御指令を生成する指令生成部２３及び表示制御指令をネットワークＮに送信する通信部２１を含むクラウドサーバ２と、道路情報を発光表示可能なＬＥＤ表示部３５、表示制御指令をネットワークＮから受信する通信部３１及び表示制御指令に基づいてＬＥＤ表示部３５を点灯制御する点灯制御部３２を含む道路情報表示板３とを備える。
【００６１】
このように、本発明によると、クラウドサーバ２及び道路情報表示板３がネットワークＮを介して接続されるため、高いインフラ性の道路情報表示システム１及びそれを実現するためのクラウドサーバ２が提供される。また、情報取得部２２は外部情報をネットワークＮから収集するデータ収集部２２１を含む。このように、クラウドサーバ２のデータ収集部２２１によって収集データがネットワークＮから収集され、その収集データに基づいて表示制御指令が生成されるので、多様な表示を自動的な態様で適時に実行可能な道路情報表示システム１が実現される。
【００６２】
＜変形例＞
以上に本発明の好適な実施形態を示したが、本発明は、例えば以下に示すように種々の態様に変形可能である。
【００６３】
（１）道路情報表示板３のＩＰ化に関する変形
上記実施形態では、既存の道路情報表示板３の使用を想定して、既存の加入者回線又は専用回線に接続される通信部３１が設けられる構成を示した。一方、新設の道路情報表示板３については、図５に示すように、ＩＰデータを送受信可能なＩＰ通信部３１´が通信部３１の代わりに設けられてもよい。この場合には、ＩＰ変換部３０は不要となる。これにより、新規な道路情報表示板３とともに道路情報表示システム１を導入する場合に、ＩＰ化された簡素な通信構成が実現される。したがって、新規の道路情報表示板３を用いる場合の道路情報表示システム１の導入容易性が高まる。
【００６４】
（２）道路情報表示板３の形態に関する変形
上記実施形態では、道路情報表示板３が道路脇のポールに支持されるものとしたが、道路情報表示板３は構造物の壁面などに直接固定されてもよいし、トンネル内、トンネル坑口、河川沿いなどに設置されてもよい。また、道路情報表示板３の発光表示部としてＬＥＤを用いるＬＥＤ表示部３５を示したが、有機ＥＬなどの他の光源を用いる発光表示部が採用されてもよい。
【符号の説明】
【００６５】
１  道路情報表示システム
２  クラウドサーバ
２１  通信部（サーバ通信部）
２２  情報取得部
２２１  データ収集部
２２２  指示受付部
２３  指令生成部
２４  保守監視部
２５  設定変更部
３、３−１〜３−ｍ  道路情報表示板
３０、３０Ａ、３０Ｂ、３０Ｃ、３０Ｄ、３０Ｅ  ＩＰ変換部
３１  通信部（表示板通信部）
３１´  ＩＰ通信部（表示板通信部）
３２  点灯制御部
３３  状態判定部
３５  ＬＥＤ表示部（発光表示部）
４  ユーザ端末（クライアント端末）
５  メーカ端末（クライアント端末）
【図１】
2019144980.tif 000003
【図２】
2019144980.tif 000004
【図３Ａ】
2019144980.tif 000005
【図３Ｂ】
2019144980.tif 000006
【図３Ｃ】
2019144980.tif 000007
【図３Ｄ】
2019144980.tif 000008
【図４】
2019144980.tif 000009
【図５】
2019144980.tif 000010